(57)【要約】【課題】  浴槽外周部に設置した骨組みに張りつけたメッシュに頭部を載せて吊る浴用ヘッドハンガーを提供する。【解決手段】浴槽片側外周上面に搭載し、浴槽外周形状に沿った形状の枠が上下２段に配置される様に、数本の支柱で一体に組み付け、上側の枠に頭部を載せるメッシュを張りつけ、下側の枠が浴槽内側にはみ出さないように向き合った枠を外側に押し付ける突っ張り棒を設けた浴用ヘッドハンガー。【選択図】図１
2019076670.tif 000002
【特許請求の範囲】
【請求項１】
浴槽の外周上面に搭載し、浴槽の外周形状に沿った形状の枠を２本、上下二段に配置される様に、数本の支柱で一体に組み付け、上側の枠に頭部を載せるメッシュを張りつけ、下側の枠に浴槽の上面を傷つけない為の樹脂パッドを設けた浴用ヘッドハンガー。
【請求項２】
頭部をメッシュに載せた時、下側の枠が浴槽内側に引っ張られ枠の端面が浴槽内側にはみ出さないように、突っ張り棒で枠を外側に押すように、突っ張り棒を設けることを特徴とする請求項１に記載の浴用ヘッドハンガー。
【発明の詳細な説明】
【技術分野】
【０００１】  本発明は、入浴中に後頭部を湯に少し浸した状態になるよう浴槽外周部に設置した骨組みに張りつけたメッシュに頭部を載せて吊る浴用ヘッドハンガーに関するものである。
【背景技術】
【０００２】  従来、入浴中の浮遊浴は、浴槽の縁を枕の様に頭部を載せ、足裏を底につけて身体を浮かせていた。また、頭部をお湯に浮かせるには、両手で浴槽の底を押し付けたり浴槽側面を押し付けたりして頭部を支える必要があった。
【発明の概要】
【発明が解決しようとする課題】
【０００３】これは、次のような問題点があった。
（イ）浴槽の縁に頭部を載せ、足裏を底につけて身体を浮かせた時、浴槽と頭部との接触      面積が狭い為、頭部及び身体の荷重がその接触部に掛かり、後頭部への圧迫感が強      かった。
（ロ）頭部をお湯に浮かせる時、両手で浴槽の底を押し付けたり浴槽側面を押し付けたり      して頭部を支える必要があった。
本発明は、以上のような欠点をなくすためになされたものである。
【課題を解決するための手段】
【０００４】（イ）浴槽外周上面に、浴槽外周形状に沿った枠を支柱により上下二段に組み付けた骨組    みを置く。
（ロ）上側の枠にメッシュを取り付け、頭部を載せたとき頭頂部が少し持ち上がるように    頭頂部側の張力が強くなるようにメッシュを張る。
（ハ）下側の枠には、浴槽外周部上面の平らな面と接する数個の樹脂パッドを設ける。
（ニ）下枠が内側に引っ張られた時に、浴槽内側にはみ出さないよう、枠の向かい合った    部分に突っ張り棒を渡す。突っ張り棒は、メッシュに載せた頭と接触しないように設    ける。
本発明は、以上の構成によりなる浴用ヘッドハンガーである。
【発明の効果】
【０００５】（イ）メッシュで吊った後頭部全体で頭及び身体の荷重を受ける為、頭への圧迫感が軽減      される。
（ロ）頭部をお湯に浮かせる時、メッシュで吊った後頭部が湯に浸る程度に湯を入れるこ      とで、手で身体を支える必要が無く、身体の力を抜いても頭部が沈まない。
【図面の簡単な説明】
【０００６】
【図１】  本発明の斜視図である。
【図２】  本発明を凸部のある浴槽上面に載せ頭部をメッシュに載せた断面図である。
【図３】  本発明の突っ張り棒設置の斜視図
【図４】  本発明の枠を突っ張り棒で押さえ平らな浴槽上面に載せ頭部をメッシュに載せた断面図である。
【図５】  本発明のメッシュに頭部を載せた側面図
【図６】  本発明の枠に紐通し用穴が設けられた図
【図７】  本発明のメッシュ組み立て図
【図８】  本発明のメッシュの張り方を示した図  （ａ）紐通しリングを枠内側の紐通し用穴に締結した図  （ｂ）紐通しリングを枠外側の紐と押し用穴に締結した図  （ｃ）メッシュを枠に１周巻きつけ紐通しリングを枠内側の紐通し用穴に締結した図
【発明を実施するための形態】
【０００７】以下、本発明の実施の形態を説明する。
（イ）浴槽（５）の外周上面に搭載し、浴槽（５）の外周形状に沿った形状の枠（１）を    ２本、上下二段に配置される様に設け、支柱（２）で枠（１）と一体に組み付けたも    のが浴用ヘッドハンガーの骨組みである。
（ロ）枠（１）にはメッシュ（３）を取り付けるための紐通し用の穴（７）が複数設けら    れている。
（ハ）下側の枠（１）には浴槽（５）及び浴槽（１５）の上面を傷つけない為の樹脂パッ      ド（１３）を設ける。
（ニ）頭部（４）を載せたとき、頭頂部が少し持ち上がるように頭頂部側の張力が強くな    るようにメッシュを張る。
（ホ）浴槽（５）は、外周上面形状が図２のように内側に凸部（８）を有する浴槽で、頭    部（４）をメッシュ（３）に載せた時、メッシュ（３）の張られている上側の枠（１    ）が浴槽（５）の内側に引っ張られるため、支柱（２）で連結された下側の枠（１）    も浴槽（５）の内側に引っ張られるが、下側の枠（１）が浴槽（５）の凸部（８）に    当たり、下側の枠（１）の端面が凸部（８）を越えて浴槽（５）の内側にはみ出すこ    とは無い。このため、浴槽（５）に本発明を搭載する場合は、突っ張り棒（９）は設    けない。
（ヘ）浴槽（１５）は、外周上面形状が図４のように平らな浴槽で、頭部（４）をメッシ    ュ（３）に載せた時、メッシュ（３）の張られている上側の枠（１）が浴槽（１５）    の内側に引っ張られるため、下側の枠（１）も浴槽（１５）の内側に引っ張られ、下    側の枠（１）の端は浴槽（１５）の内側にせり出すので、突っ張り棒（９）で枠（１    ）を外側に押すように取り付け、下側の枠（１）の端が浴槽（１５）内側へはみ出す    のを防ぐ。突っ張り棒（９）は、向き合った枠（１）にそれぞれ設けたブラケット（    １０）の凹部に差し込む。向き合うブラケット（１０）に差し込んだ突っ張り棒（９    ）がメッシュ（３）に載せた頭部（４）と接触しないように、ブラケット（１０）を    枠（１）に設ける。
（ト）メッシュ（３）の両側は補強布（１１）が縫い合わされ、補強布（１１）に紐を通    すリング（１２）が縫い付けられている。
（チ）メッシュ（３）を強く貼る場合は、メッシュ（３）を枠（１）に１周巻きつけ、紐    通しリング（１２）を枠（１）内側の紐通し用穴（７）に紐（１３）で締結し、弱く    貼る場合は、上側の枠（１）の紐通し用穴（７）の内側の穴にリング（１２）を紐（    １３）で結び付ける。
本発明は、以上の構成よりなっている。
本発明を使用するときは、メッシュ（３）に頭部（４）を載せた時、後頭部が湯に少し  浸される程度に湯を入れる。両手で浴槽の底を押し付けたり浴槽側面を押し付けたりし  なくても、また身体の力を抜いても頭部が沈まない為、リラックス効果が得られる。
また、足裏を底につけて身体を浮かせた時、頭部（４）は強く圧迫されず、浮遊感が得  られる為、リラックス効果が高まる。
【符号の説明】
【０００８】      １  枠
２  支柱
３  メッシュ
４  頭部
５  上面凸部付浴槽
６  水面
７  紐通し用穴
８  凸部
９  突っ張り棒
１０  ブラケット
１１  補強布
１２  紐通しリング
１３  樹脂パッド
１４  紐
１５  上面平らな浴槽
【図１】
2019076670.tif 000003
【図２】
2019076670.tif 000004
【図３】
2019076670.tif 000005
【図４】
2019076670.tif 000006
【図５】
2019076670.tif 000007
【図６】
2019076670.tif 000008
【図７】
2019076670.tif 000009
【図８】
2019076670.tif 000010